(57)【要約】容器（３）の開口（３０）に関連可能な閉鎖部（８）と、前記容器（３）のネック（２）に関連可能な係合手段（１０）であって、前記容器の突起（７）に係合する保持手段（１１）が設けられた係合手段（１０）と、前記係合手段（１０）の本体側部（１２）と前記閉鎖部（８）との間で前記係合手段（１０）に配置される所期開封線（１５）であって、破断可能手段（１６）により画定される所期開封線（１５）とを備える圧力キャップであって、前記所期開封線（１５）および前記閉鎖部（８）は、前記閉鎖部（８）が前記本体側部（１２）から外されるように促されたときに前記破断可能手段（１６）が前記所期開封線（１５）に沿って破断するように互いに関連して位置決めされることを特徴とする圧力キャップ。【選択図】図６
2008539135.tif 000002
【特許請求の範囲】
【請求項１】
容器（３）の開口（３０）に関連可能な閉鎖部（８）と、前記容器（３）のネック（２）に関連可能な係合手段（１０）であって、前記容器の突起（７）に係合する保持手段（１１）が設けられた係合手段（１０）と、前記係合手段（１０）の本体側部（１２）と前記閉鎖部（８）との間で前記係合手段（１０）に配置される所期開封線（１５）であって、破断可能手段（１６）により画定される所期開封線（１５）とを備える圧力キャップであって、前記所期開封線（１５）および前記閉鎖部（８）は、前記閉鎖部（８）が前記本体側部（１２）から外されるように促されたときに前記破断可能手段（１６）が前記所期開封線（１５）に沿って破断するように互いに関連して位置決めされることを特徴とする圧力キャップ。
【請求項２】
前記閉鎖部（８）は、前記ネック（２）の内部（２０）に相互作用して干渉するように配置される閉鎖手段（１９）を含む、請求項１に記載のキャップ。
【請求項３】
前記閉鎖部（８）は、前記ネック（２）の外部（２２）と相互作用して干渉するように配置されるさらなる閉鎖手段（２１）を含む、請求項１または２に記載のキャップ。
【請求項４】
前記さらなる閉鎖手段（２１）の周縁には、前記外部（２２）から延びるアペンデージ手段（６６）に形状的に結合するように受けられる溝手段（６５）が設けられる、請求項３に記載のキャップ。
【請求項５】
前記閉鎖部（８）を前記本体側部（１２）に接続するヒンジ手段（３６）をさらに備える、請求項１乃至４のいずれか１項に記載のキャップ。
【請求項６】
前記ヒンジ手段は、前記所期開封線（１５）に沿って前記係合手段（１０）に得られる壁肥大部（３７）を含む、請求項５に記載のキャップ。
【請求項７】
前記破断可能手段（１６）は非均等な破断耐性を有する、請求項１乃至６のいずれか１項に記載のキャップ。
【請求項８】
前記破断可能手段は、変化する厚さを有する前記係合手段（１０）の壁手段を含む、請求項７に記載のキャップ。
【請求項９】
前記破断可能手段は、異なる円周長さを有する複数の破断可能要素（１６）を含む、請求項７に記載のキャップ。
【請求項１０】
前記破断可能手段（１６）は、ユーザが該キャップ（１）を開くために掴むことができる前記閉鎖部（８）のグリップゾーン（５０）から離れるにつれて大きくなる断面を有する、請求項７乃至９のいずれか１項に記載のキャップ。
【請求項１１】
前記ネック（２）に対して前記本体側部（１２）が実質的に移動しないようにするように配置される位置決め手段（４０）をさらに備える、請求項１乃至１０のいずれか１項に記載のキャップ。
【請求項１２】
前記位置決め手段（４０）は、前記容器（３）の残りの部分（９）に支持されて受けられるような形状の前記保持手段（１１）の端部に設けられる拘束要素（５９）を含む、請求項１１に記載のキャップ。
【請求項１３】
前記位置決め手段（４０）は、該キャップ（１）の内側に延び、前記保持手段（１１）と前記所期開封線（１５）との間に配置される肩手段（４１）を含み、該肩手段（４１）および前記保持手段（１１）は、前記ネック（２）から延びるさらなる突起手段（２５）を囲むような形状である、請求項１１に記載のキャップ。
【請求項１４】
前記位置決め手段（４０）は、前記破断可能手段（１６）を画定するリブ（３８）の部分（４３）を含み、該部分（４３）は、前記ネック（２）から延びるさらなる突起手段（２５）に支持されて受けられるような形状である、請求項１１に記載のキャップ。
【請求項１５】
前記位置決め手段（４０）は、前記係合手段（１０）に関連し、前記ネック（２）の端部ゾーン（４４）と相互作用するような形状の当接要素（４５）を含む、請求項１１に記載のキャップ。
【請求項１６】
前記位置決め手段（４０）は、前記係合手段（１０）に関連し、前記開口（３０）を区切る前記ネック（２）の縁部（４９）に支持されて受けられるような形状のさらなる当接要素（４８）を含む、請求項１１に記載のキャップ。
【請求項１７】
容器（３）のネック（２）に回して締めることが可能な本体側部（１０）と、前記容器（３）の開口（３０）に関連可能な閉鎖部（８）とを備えるスクリューキャップであって、前記本体側部（１０）と前記閉鎖部（８）との略境界面に配置される所期開封線（１５）をさらに備えることを特徴とするスクリューキャップ。
【請求項１８】
前記本体側部（１０）には、前記ネック（２）と係合するように配置される保持手段（１１）が関連付けられる、請求項１７に記載のキャップ。
【請求項１９】
前記本体側部（１０）と前記保持手段（１１）との間に配置されるさらなる所期開封線（５３）をさらに備える、請求項１８に記載のキャップ。
【請求項２０】
前記所期開封線（１５）および前記閉鎖部（８）は、前記閉鎖部（８）が前記本体側部（１０）から外されるように促されたときに、前記所期開封線（１５）を画定する破断可能手段（１６）が前記所期開封線（１５）に沿って破断するように互いに関連して位置決めされる、請求項１７乃至１９のいずれか１項に記載のキャップ。
【請求項２１】
前記閉鎖部（８）は、前記ネック（２）の内部（２０）に相互作用して干渉するように配置される閉鎖手段（１９）を含む、請求項１７乃至２０のいずれか１項に記載のキャップ。
【請求項２２】
前記閉鎖部（８）は、前記ネック（２）の外部（２２）と相互作用して干渉するように配置されるさらなる閉鎖手段（２１）を含む、請求項１７乃至２１のいずれか１項に記載のキャップ。
【請求項２３】
前記さらなる閉鎖手段（２１）の周縁には、前記外部（２２）から延びるアペンデージ手段（６６）に形状的に結合するように受けられる溝手段（６５）が設けられる、請求項２２に記載のキャップ。
【請求項２４】
前記閉鎖部（８）を前記本体側部（１２）に接続するヒンジ手段（３６）をさらに備える、請求項１７乃至２３のいずれか１項に記載のキャップ。
【請求項２５】
前記ヒンジ手段（３６）は、前記所期開封線（１５）に沿って前記本体側部（１０）に得られる壁肥大部（３７）を含む、請求項２４に記載のキャップ。
【請求項２６】
前記破断可能手段（１６）は非均等な破断耐性を有する、請求項１７乃至２２のいずれか１項に記載のキャップ。
【請求項２７】
前記破断可能手段は、変化する厚さを有する前記本体側部手段（１０）の壁手段を含む、請求項２６に記載のキャップ。
【請求項２８】
前記破断可能手段は、異なる円周長さを有する複数の破断可能要素（１６）を含む、請求項２６に記載のキャップ。
【請求項２９】
前記破断可能手段（１６）は、ユーザが該キャップ（１）を開くために掴むことができる前記閉鎖部（８）のグリップゾーン（５０）から離れるにつれて大きくなる断面を有する、請求項２６乃至２８のいずれか１項に記載のキャップ。
【請求項３０】
前記本体側部（１０）が前記ネック（２）に過度に締め付けられないないようにするために配置される過度締め付け阻止手段（５４）をさらに備える、請求項１７乃至２９のいずれか１項に記載のキャップ。
【請求項３１】
前記過度締め付け阻止手段（５４）は、前記容器（３）の残りの部分（５８）に支持さされて受けられるような形状の拘束要素（６０）を含む、請求項３０に記載のキャップ。
【請求項３２】
前記過度締め付け阻止手段（５４）は、該キャップ（１）の内側に延びる肩手段（４１）を含む、請求項３０に記載のキャップ。
【請求項３３】
前記肩手段（４１）は、前記保持手段（１１）と前記所期開封線（１５）との間に配置され、前記フック手段（４１）および前記保持手段（１１）は、前記ネック（２）から延びるさらなる突起手段（２５）をかっ込むような形状である、請求項１８もしくは１９に従属する請求項３０または請求項１８もしくは１９に従属する請求項２０乃至２９のいずれか１項に記載のキャップ。
【請求項３４】
前記過度締め付け阻止手段（５４）は、前記所期開封線（１５）を画定するリブ（３８）の部分（４３）を含み、該部分（４３）は、前記ネック（２）に設けられるねじ山手段（５６）に支持されて受けられるような形状である、請求項３０に記載のキャップ。
【請求項３５】
前記過度締め付け阻止手段（５４）は、前記本体側部（１０）に関連し、前記ネック（２）の端部ゾーン（４４）と相互作用するような形状の当接要素（４５）を含む、請求項３０に記載のキャップ。
【請求項３６】
前記過度締め付け阻止手段（５４）は、前記本体側部（１０）に関連し、前記開口（３０）を区切る前記ネック（２）の縁部（４９）に支持されて受けられるような形状のさらなる当接要素（４８）を含む、請求項３０に記載のキャップ。
【請求項３７】
前記過度締め付け阻止手段（５４）は、前記本体側部（１０）の内側煮えられるねじ山（５５）に関連し、前記ネック（２）に得られるさらなるねじ山（５６）と相互作用するように配置されるさらなる拘束手段（５９）を含む、請求項３０に記載のキャップ。
【請求項３８】
該キャップ（１）が最初に開けられた後、前記ネック（２）から前記本体側部（６７）を部分的に外すように配置されるキャップ外し促進手段（６７）をさらに備える、請求項１７乃至３７のいずれか１項に記載のキャップ。
【請求項３９】
前記キャップ外し促進手段（６７）は、前記ネック（２）に関連する始動手段（７０）と相互作用するような形状の弾性手段（６８）を含む、請求項３８に記載のキャップ。
【請求項４０】
前記弾性手段（６８）は、前記本体側部（１０）から延びるアペンデージ（６９）を含む、請求項３９に記載のキャップ。
【請求項４１】
スクリューキャップ（１）を開く方法であって、前記キャップは、容器（３）のネック（２）に回して締めることが可能な本体側部（１０）と、前記容器（３）の開口（３０）に関連可能な閉鎖部（８）と、前記本体側部（１０）と前記閉鎖部（８）との略境界面に配置される破断可能手段（１６）により画定される所期開封線（１５）とを備え、該方法は、前記ネック（２）の縁部が前記閉鎖部（８）と相互作用して、前記所期開封線（１５）に沿って前記破断可能要素（１６）を破断するように前記本体側部（１０）を前記ネック（２）に回して締めることを含む方法。
【請求項４２】
容器（３）のネック（２）に関連可能な本体側部（１０）と、前記容器（３）の開口（３０）に関連可能な閉鎖部（８）と、前記本体側部（１０）と前記閉鎖部（８）との間に配置される所期開封線（１５）とを備えるキャップであって、前記所期開封線（１５）上に壁肥大部（３７）をさらに備えて、前記本体側部（１０）と前記閉鎖部（８）とを接続するヒンジ手段（３６）を形成することを特徴とするキャップ。
【請求項４３】
前記破断可能手段（１６）は非均等な破断耐性を有する、請求項４２に記載のキャップ。
【請求項４４】
前記破断可能手段は、変化する厚さを有する前記本体側部（１０）の壁手段を含む、請求項４３に記載のキャップ。
【請求項４５】
前記破断可能手段は、異なる円周長さを有する複数の破断可能要素（１６）を含む、請求項４３に記載のキャップ。
【請求項４６】
前記破断可能手段（１６）は、ユーザが該キャップ（１）を開くために掴むことができる前記閉鎖部（８）のグリップゾーン（５０）から離れるにつれて大きくなる断面を有する、請求項４３乃至４５のいずれか１項に記載のキャップ。
【請求項４７】
容器（３）のネック（２）に関連可能な本体側部（１０）と、前記容器（３）の開口（３０）に関連可能な閉鎖部（８）と、破断可能要素（１６）により画定され、前記本体側部（１０）と前記閉鎖部（８）との間に配置される所期開封線（１５）とを備えるキャップであって、前記破断可能手段（１６）は非均等な破断耐性を有することを特徴とするキャップ。
【請求項４８】
前記破断可能手段は、変化する厚さを有する前記キャップ手段（１）の壁手段を含む、請求項４７に記載のキャップ。
【請求項４９】
前記破断可能手段は、異なる円周長さを有する複数の破断可能要素（１６）を含む、請求項４７に記載のキャップ。
【請求項５０】
前記破断可能手段（１６）は、ユーザが該キャップ（１）を開くために掴むことができる前記閉鎖部（８）のグリップゾーン（５０）から離れるにつれて大きくなる断面を有する、請求項４７乃至４９のいずれか１項に記載のキャップ。
【請求項５１】
前記所期開封線（１５）上に壁肥大部（３７）をさらに備えて、前記本体側部（１０）と前記閉鎖部（８）とを接続するヒンジ手段（３６）を形成する、請求項４７乃至５０のいずれか１項に記載のキャップ。
【請求項５２】
ヒンジ（３６）が設けられたキャップ（１）を製造する方法であって、前記キャップ（１）の本体側部（１０）を形成すること、前記本体側部（１０）を弱化させることであって、それにより所期開封線（１５）を得る、前記弱化させることは、前記所期開封線（１５）に沿って、前記本体側部（１０）の残りの部分の弱化の程度が低いゾーンを前記本体側部（１０）に作ることを含み、前記弱化の程度が低いゾーンはヒンジ前駆体を画定することを特徴とする方法。
【請求項５３】
前記弱化させることは、前記本体側部（１０）の周縁ゾーンに完全に影響する切開部を形成することを含む、請求項５２に記載の方法。
【請求項５４】
前記弱化させることの前に、前記本体側部（１０）に壁肥大部（３７）を得ることが提供され、前記壁肥大部（３７）が前記ヒンジ前駆体を画定する請求項５３に記載の方法。
【請求項５５】
前記弱化させることの前に、前記本体側部（１０）にリブ手段（３８）を得ることがさらに提供され、前記リブ手段（３８）は、前記所期開封線（１５）の破断可能要素（１６）を画定する、請求項５３または５４に記載の方法。
【請求項５６】
前記弱化させることは、前記所期開封線（１５）に沿って、破断可能要素（１６）を画定する切開部のない部分が得られるように、断続刃が設けられた切断工具を使用して前記本体側部に切開部を形成することを含む、請求項５３または５４に記載の方法。
【請求項５７】
前記弱化させることは、前記弱化の程度が低い部分には影響しないが、前記残りの部分に影響する切開部を形成することを含む、請求項５２に記載の方法。
【請求項５８】
前記形成することの前に、前記本体側部（１０）に壁肥大部（３７）を得ることが提供され、前記壁肥大部（３７）が前記ヒンジ前駆体を画定する請求項５３に記載の方法。
【請求項５９】
前記形成することは、前記所期開封線（１５）に沿って、破断可能要素（１６）を画定する切開部のない部分が得られるように、断続刃が設けられた切断工具を使用して前記本体側部に切開部を形成することを含む、請求項５７または５８に記載の方法。
【請求項６０】
前記形成することの前に、前記本体側部（１０）にリブ手段（３８）を得ることが提供され、前記リブ手段（３８）は、前記所期開封線（１５）の破断可能要素（１６）を画定する、請求項５８または５９に記載の方法。
【請求項６１】
小出し端部（４）が設けられたネック（２）を備え、前記小出し端部（４）は、前記ネックの残りの部分（５）の横断面よりも大きな横断面を有する容器であって、前記小出し端部（５）が略均等な厚さを有する壁手段を含むことを特徴とする容器。
【請求項６２】
前記突起と協働して、キャップ（１）の保持手段（１１）が受けられる受座手段（６２）を画定するさらなる突起（９）をさらに備え、前記保持手段（１１）は前記突起（７）に係合するような形状である、請求項６１に記載の容器。
【請求項６３】
前記ネック（２）の縁部（４９）に得られ、キャップ（１）の閉鎖部の溝手段（６５）で受けられるように配置されるアペンデージ手段（６６）をさらに備える、請求項６１または６２に記載の容器。
【請求項６４】
小出し端部（４）が設けられたネック（２）を備え、前記小出し端部（４）は、前記ネック（５）の残りの部分の横断面よりも大きな横断面を有し、前記小出し端部は該容器内に、キャップ（１）の保持手段（１１）が係合可能な突起（７）を画定する、容器であって、前記突起と協働して、前記保持手段（１１）を受けることができる受座手段（６２）を画定するさらなる突起（９）をさらに備えることを特徴とする容器。
【請求項６５】
前記小出し端部（５）は略均等な厚さを有する壁手段を含む、請求項６４に記載の容器。
【請求項６６】
前記ネック（２）の縁部（４９）に得られ、キャップ（１）の閉鎖部の溝手段（６５）で受けられるように配置されるアペンデージ手段（６６）をさらに備える、請求項６４または６５に記載の容器。
【請求項６７】
保持手段（１１）を備えるキャップ（１）と、小出し端部（４）が設けられたネックであって、前記小出し端部（４）は前記ネックの残りの部分（５）の横断面よりも大きな横断面を有し、容器内に、前記保持手段（１１）が係合可能な突起（７）を画定する、ネック、および前記突起と協働して、前記保持手段（１１）を受けることができる受座手段（６２）を画定するさらなる突起（９）を備える容器との組み合わせ。
【請求項６８】
壁手段により画定される小出し端部（４）が設けられたネック（２）を備える容器であって、前記壁手段の中間部から延出する突起手段（２５）をさらに備えることを特徴とする容器。
【請求項６９】
前記小出し端部（４）は、ネックの残りの部分（５）の横断面よりも大きな横断面を有する、請求項６８に記載の容器。
【請求項７０】
前記ネック（２）の縁部（４４）に得られ、キャップ（１）の閉鎖部の溝手段（６５）で受けられるように配置されるアペンデージ手段（６６）をさらに備える、請求項６８または６９に記載の容器。
【請求項７１】
開口（３０）が設けられたネック（２）と、該ネック（２）から突出する突起（２９）とを備え、前記ネックは、前記突起（２９）と前記開口（３０）との間に延びる壁手段（４）を含む容器であって、前記壁手段（４）が略平滑な外面（３４）を含むことを特徴とする容器。
【請求項７２】
前記ネック（２）の縁部（４４）に得られ、キャップ（１）の閉鎖部の溝手段（６５）で受けられるように配置されるアペンデージ手段（６６）をさらに備える、請求項７１に記載の容器。
【請求項７３】
容器（３）のネック（２）に回して締めることが可能な本体側部（１０）と、前記容器（３）の開口（３０）に関連可能な閉鎖部（８）とを備えるスクリューキャップであって、該キャップ（１）が最初に開けられた後に前記ネック（２）から前記本体側部（１０）を部分的に外すように配置されるキャップ外し促進手段（６７）をさらに備えることを特徴とするスクリューキャップ。
【請求項７４】
前記キャップ外し促進手段（６７）は、前記ネック（２）に関連する始動手段（７０）と相互作用するような形状の弾性手段（６８）を含む、請求項７３に記載のキャップ。
【請求項７５】
前記弾性手段（６８）は、前記本体側部（１０）から延びるアペンデージ（６９）を含む、請求項７４に記載のキャップ。
【発明の詳細な説明】
【技術分野】
【０００１】
本発明は、キャップ、容器、キャップを製造する方法、およびキャップを開く方法に関する。
【背景技術】
【０００２】
図１および図２に示す、容器（２０４）に関連するプラスチック製の圧力キャップ（２００）が既知である。こういったキャップは、容器のネック（２０３）に係合する保持要素（２０２）が設けられた閉鎖部（２０１）を備える。
【０００３】
既知のキャップには、開封前にネックを囲んでいる不正開封防止リング（２０５）がさらに設けられる。不正開封防止リングは、破断可能要素によりキャップの閉鎖部に接続される。
【０００４】
不正開封防止リングには、閉鎖部が、破断可能要素の破断が行われずに不正開封防止リングひいては容器の開口から取り外されないようにするフック要素がさらに設けられる。
【０００５】
不正開封防止リングから、ユーザが掴むために構成されるアペンデージ（ａｐｐｅｎｄａｇｅ）（２０６）が突出する。
【０００６】
アペンデージに力を加えることにより、破断可能要素を破断し、恐らく、不正開封防止リングをキャップの本体から分離することが可能である。
【０００７】
その後、ユーザは、閉鎖部に作用することにより、保持要素をネックから取り外し、ひいては容器を開くことができる。
【０００８】
既知の圧力キャップの欠点は、各容器からの取り外しが、特定の困難さでもって可能なことからなる。
【０００９】
第１段階で、実際に、ユーザは、不正開封防止リングのアペンデージに作用することにより破断可能要素を破断し、次に閉鎖部をネックから取り外す必要がある。
【００１０】
容器を開くには、ユーザは、実際に片手を容器を握るために使い、もう一方の片手をアペンデージに作用して破断可能要素を破断するために使い、必然的に両手を使用しなければならない。
【００１１】
したがって、既知のキャップは、片手だけを使用して容器を開く可能性のある用途、例えば、サイクリング等のスポーツ活動の最中に内容物を消費する必要がある容器の場合等に使用することができない。
【００１２】
図３および図４に示す、容器のねじ切りされた端部に回して締めることができる本体（３０１）およびヒンジ要素（３０３）により本体に接続された閉鎖部（３０２）が設けられたスクリューキャップ（３００）がさらに既知である。
【００１３】
上記開示したキャップの欠点は、非常に複雑であり、製造が高価なことである。
【００１４】
実際に、こういったキャップは、プラスチック材料を非常に複雑な鋳型内部に射出成形することにより得られる。
【発明の開示】
【発明が解決しようとする課題】
【００１５】
本発明の目的は、既知の圧力キャップを改良することである。
【００１６】
本発明の別の目的は、容易に開けることができる圧力キャップを得ることである。
【００１７】
本発明のさらなる目的は、最初に開けた後に容易に再び閉められる圧力キャップを得ることである。
【００１８】
本発明のさらなる目的は、閉鎖部と複雑な鋳型を使用せずに製造可能な容器に取り付けられる取り付け部との間にヒンジが設けられたキャップを得ることである。
【００１９】
本発明のさらなる目的は、通常の容器のねじ切りされたネックに関連可能な圧力キャップを得ることである。
【００２０】
さらなる目的は、圧力キャップで閉められるのに特に適した容器を得ることである。
【課題を解決するための手段】
【００２１】
本発明の第１の態様では、容器の開口に関連可能な閉鎖部と、上記容器のネックと関連可能な係合手段であって、上記容器の突起に係合する保持手段が設けられた係合手段と、該係合手段の本体側部と上記閉鎖部との間で上記係合手段に配置される所期開封線であって、破断可能手段により画定される所期開封線とを備える圧力キャップであって、上記所期開封線および上記閉鎖部が、上記閉鎖部が上記本体側部から外されるように促されたときに上記破断可能手段が前記所期開封線に沿って破断するように互いに関連して位置決めされることを特徴とする圧力キャップが提供される。
【００２２】
本発明のこの態様により、開封指示手段が設けられ、ユーザが、恐らくは片手だけで容易に開けることができる圧力キャップを得ることが可能である。
【００２３】
これにより、第１の種類が容易に開封可能であるが開封指示手段のないキャップからなり、第２の種類が開封指示手段が設けられるが、開くのが複雑なキャップからなる２種類の圧力キャップしか提供しない従来技術に対して大きな改良を得ることができる。
【００２４】
本発明により、容器が最初に開封されるとき、破断可能手段は、閉鎖部の取り外しと略同時に破断される。
【００２５】
したがって、最初に破断可能要素を破断する動作および次に閉鎖部を取り外す動作という２つの別個の動作を行う必要がない。
【００２６】
本発明の第２の態様では、容器のネックに回して締めることが可能な本体側部と、上記容器の開口に関連可能な閉鎖部とを備えるスクリューキャップであって、上記本体側部と上記閉鎖部との略境界面に配置される所期開封線をさらに備えることを特徴とするスクリューキャップが提供される。
【００２７】
本発明のこの態様により、本体側部をネックから取り外さずに、ネックから本体側部を回して外して開けることができるスクリューキャップを得ることが可能である。
【００２８】
特に、閉鎖部は、容器の開口に関連する圧力閉鎖要素を画定することができる。このようにして、通常のねじ切りされたネックに関連可能であり、プラスチック材料を形成する通常の鋳型を使用して製造可能な、容易に開けることができるキャップ、例えば圧力キャップを得ることが可能であり、このようなキャップには、容器が初回使用時前に不正開封されたか否かをユーザに示す開封指示手段が設けられる。
【００２９】
本発明の第３の態様では、スクリューキャップを開く方法であって、上記キャップは、容器のネックに回して締めることができる本体側部と、上記容器の開口に関連可能な閉鎖部と、破断可能手段により画定され、上記本体側部と上記閉鎖部との略境界面に配置される所期開封線とを備え、方法が、上記ネックの縁部が上記閉鎖部に接触して、上記破断可能手段を上記所期開封線に沿って破断するように上記本体側部を上記ネックにねじ込むことを含む方法が提供される。
【００３０】
本発明のこの態様により、スクリューキャップを得る非常に簡単な方法を得ることが可能である。
【００３１】
本発明の第４の態様では、容器のネックに回して締めることが可能な本体側部と、上記容器の開口に関連可能な閉鎖部とを備えるスクリューキャップであって、上記キャップを最初に開けた後、上記本体側部を上記ネックから部分的に外すように構成されたキャップ外し促進手段をさらに備えることを特徴とするスクリューキャップが提供される。
【００３２】
本発明のこの態様により、ネックの縁部が閉鎖部に接触して、破断可能要素を所期開封線に沿って破断するように、本体側部をネックに回して締めることにより容易に開けることができるキャップを得ることが可能である。開封後、キャップ外し促進手段が、本体側部をネックから部分的に外し、本体側部をネックに対して適宜位置決めする。
【００３３】
この場合、本体側部と閉鎖部との間にヒンジが設けられている場合、キャップ外し促進手段は、閉鎖部が、ヒンジで回転することにより、最初に容器を開けた後に再び容器を閉じることができるように正しくネックに係合できるように本体側部を位置決めする。
【００３４】
本発明の第５の態様では、容器のネックに関連可能な本体側部と、上記容器の開口に関連可能な閉鎖部と、上記本体側部と上記閉鎖部との間に配置される所期開封線とを備えるキャップであって、上記本体側部と上記閉鎖部とを接続するヒンジ手段を形成するように上記所期開封線上に壁肥大部をさらに備えることを特徴とするキャップが提供される。
【００３５】
本発明のこの態様により、極めて単純に作られるヒンジ手段が設けられたキャップを得ることが可能である。
【００３６】
特に、非常に複雑な鋳型を使用する必要なく、プラスチック材料の成形によりヒンジ手段が設けられたキャップを得ることが可能である。
【００３７】
キャップを最初に開けるとき、壁肥大化により影響を受けない所期開封線の部分が破断するのに対して、壁肥大部は、その断面積が大きいことにより破断せず、ヒンジ手段を画定し、閉鎖部は、本体側部に対してヒンジ手段を中心にして回転でき、それにより容器に収容される製品の小出しが可能になる。
【００３８】
本発明の第６の態様では、小出し端部が設けられたネックを備え、小出し端部はネックの残りの部分の横断面よりも大きな横断面を有する容器であって、小出し端部が略均等な厚さを有する壁手段を含むことを特徴とする容器が提供される。
【００３９】
本発明の第７の態様では、壁手段により画定される小出し端部が設けられたネックを備える容器であって、上記壁手段の中間部から延出する突起手段をさらに備えることを特徴とする容器が提供される。
【００４０】
本発明のこれら態様により、圧力キャップで閉じるのに特に適した容器を得ることが可能である。
【００４１】
本発明の第８の態様では、小出し端部が設けられたネックを備え、小出し端部はネックの残りの部分の横断面よりも大きな横断面を有し、上記小出し端部は該容器内に、キャップの保持手段が係合可能な突起を画定する、容器であって、上記突起と協働して、上記保持手段を受けることができる受座手段を画定するさらなる突起をさらに備えることを特徴とする容器が提供される。
【００４２】
本発明の第９の態様では、保持手段を備えるキャップと、ネックの残りの部分の横断面よりも大きな横断面を有する小出し端部が設けられたネックであって、上記小出し端部は上記容器内に、キャップの保持手段が係合可能な突起を画定する、ネック、および上記突起と協働して、上記保持手段を受けることができる受座手段を画定するさらなる突起を備える容器との組み合わせが提供される。
【００４３】
本発明のこれら態様により、保持手段がシート手段の内側で受けられるため、不正開封が困難な容器を得ることが可能である。
【００４４】
さらに、ヒンジが設けられたキャップが容器に関連する場合、さらなる突起は、最初に開けた後に容器を容易に閉じることができるように、容器に対して保持手段が移動しないようにする位置決め要素として働く。保持手段と一体化した容器の本体側部がネックに対して移動すると、実際に、閉鎖部をネックに正しく係合するのが妨げられ得る。
【００４５】
本発明の第１０の態様では、開口が設けられたネックと、上記ネックから突出する突起とを備え、上記ネックは、上記突起と上記開口との間に延在する壁手段を備える、容器であって、上記壁手段が略平滑な外面を備えることを特徴とする容器が提供される。
【００４６】
本発明の第１１の態様では、ヒンジが設けられたキャップを製造する方法であって、上記キャップの本体側部を形成すること、上記本体側部を弱化させることであって、それにより所期開封線を得ることを含む方法であって、上記弱化させることは、前記所期開封線に沿って、上記本体側部の残りの部分の弱化の程度が低いゾーンを上記本体側部に得ることを含み、上記弱化の程度が低いゾーンはヒンジ前駆体を画定することを特徴とする方法が提供される。
【００４７】
本発明のこの態様により、複雑な鋳型を使用する必要がないため、操作が非常に単純なヒンジが設けられたキャップを製造する方法を得ることが可能である。
【００４８】
さらに、プラスチック材料の射出成形または圧縮成形により形成されるキャップの場合、この方法は、ヒンジ前駆体が、所期開封線が得られる操作と同じ弱化動作により得られるため、非常に安価である。
【００４９】
したがって、本発明による方法は、通常のキャップ製造方法に対して追加の複雑さをまったく含まない。
【００５０】
本発明の第１２の態様では、容器のネックに関連可能な本体側部と、上記容器の開口に関連可能な閉鎖部と、破断可能手段により画定され、上記本体側部と上記閉鎖部との間に配置される所期開封線とを含むキャップであって、上記破断可能要素が非均等な破断耐性を有することを特徴とするキャップが提供される。
【００５１】
本発明のこの態様により、非常に小さな力を閉鎖部に加えるだけで開けることができるキャップを得ることが可能である。
【００５２】
これにより、ユーザは、恐らくは片手だけでキャップを容易に開けることが可能になる。
【００５３】
本発明は、非限定的な例として本発明のいくつかの実施形態を示す添付図面を参照してよりよく理解し、実施することができる。
【発明を実施するための最良の形態】
【００５４】
図５および図６を参照して、容器３のネック２に関連可能なキャップ１を示す。
【００５５】
キャップ１は、プラスチック材料から、例えばプラスチックの射出成形または圧縮成形を通して作ることができる。
【００５６】
容器３は、略同軸に配置された略円筒形の第１の壁４および略円筒形の第２の壁５を備え、第２の壁５は第１の壁４よりも小さな直径を有する。
【００５７】
第１の壁４は略一定の厚さを有し、容器３の小出し端部を画定する。
【００５８】
第１の壁４と第２の壁５との間に、環状壁６が第２の壁５に向けて横方向に延び、カラー７を画定する。
【００５９】
図１１を参照して容器３の一変形を示し、この変形では、第１の壁４から、キャップ１と相互作用するように構成される突起２５が延出し、これについてさらに詳細に以下において説明する。
【００６０】
突起２５は、第１の壁４から略垂直に延びるさらなる環状壁２６およびさらなる環状壁２６と第１の壁４との間に配置される傾斜壁２７を備える。
【００６１】
図１４を参照して、側壁２８を備える容器３の別の変形を示し、側壁２８から、容器３の開口３０のより近くで突起要素２９が突出し、開口３０からさらに離れて第２の突起要素３１が突出する。
【００６２】
側壁２８は、第１の突起要素２９と開口３０との間に配置される第１の略円筒形部分３２および第１の突起要素２９と第２の突起要素３１との間に配置される第２の略円筒形部分３３を備える。
【００６３】
第１の部分３２は略平滑な外面３４を備える。
【００６４】
第１の部分３２および第２の部分３３は、略一定の厚さを有することができる。
【００６５】
さらに、第１の部分３２および第２の部分３３は、容器３に、略一定の内径を有する小出し端部３５が設けられるような形状である。
【００６６】
図５および図６に示すように、キャップ１は、開口３０に取り外し可能に関連可能な閉鎖部８および鉤形状端部が設けられた保持手段１１が設けられ、カラー７に係合する係合手段１０を備える。
【００６７】
係合手段１０は、保持手段１１が突出する第１の端部１３を有するとともに、第１の端部１３の反対側に、本体側部１２と閉鎖部８との間に延びる所期開封線１５が設けられた第２の端部１４を有する本体側部１２を備える。
【００６８】
所期開封線１５は、閉鎖部８を本体側部１２に接続する複数の破断可能要素１６により画定され、隣接する破断可能要素１６の間に、弱化ゾーン、例えばスルーカット１７が配置される。
【００６９】
閉鎖部が本体側部１２から離れて移動すると、破断可能要素１６が破断し、キャップ１の開封を明らかにする。
【００７０】
換言すれば、係合手段１０は、破断可能要素１６の破断なしではキャップ１を容器から外せないようにする保持手段１１により、キャップ１の保全性を保証する不正開封防止リングのように働く。
【００７１】
閉鎖部８は、閉鎖部８の面２３から突出して、第１の壁４の内側で受けられる環状アペンデージ１９が設けられた閉鎖手段１８を備える。
【００７２】
環状アペンデージ１９は、第１の壁４の内面２０と相互作用して干渉するような形状である。
【００７３】
閉鎖手段１８は、閉鎖部８とネック２との間に封止を実現できるようにする。
【００７４】
環状アペンデージ１９を備えた閉鎖手段は、図８および図１０〜図１４に示すキャップ１の実施形態にも設けられる。
【００７５】
図７に示すキャップ１の実施形態には、面２３から突出して第１の壁４を囲むさらなる環状アペンデージ２１を備える閉鎖手段１８が設けられた閉鎖部８が設けられる。
【００７６】
さらなる環状アペンデージ２１は、第１の壁４の略平滑な外面２２と相互作用して干渉するような形状である。
【００７７】
図９を参照すると、さらなる環状アペンデージ２１は、形状的に形成されるように、外面２２から延びる様式化された縁部６６を受けるように配置された溝６５を備える。
【００７８】
閉鎖手段１８は、環状アペンデージ１９またはさらなる環状アペンデージ２１に代えて、例えば、面２３から延びる複数の突起要素により画定される略環状で円周に断片化した本体を備えてもよい。
【００７９】
図８に示すように、キャップ１は、閉鎖部８を係合手段１０に接続して、最初に開けた後にキャップ１を再び閉めることができるようにするヒンジ３６を備えることができる。
【００８０】
ヒンジ３６は、キャップ１が作られたプラスチック材料の一部を含むことができる。
【００８１】
ヒンジ３６は、以下に示す様々な方法で得ることができる。
【００８２】
射出成形または圧縮成形を通してキャップを製造する製造サイクルのいくつかのステップは、予備的に、すなわち、ヒンジを作成する様式をよりよく理解できるようにするために想起すべきである。
【００８３】
キャップは、プラスチックの射出成形または圧縮成形を通して得られる。
【００８４】
鋳型から出たとき、各キャップは連続した側壁を備える。すなわち、所期開封線を欠く。換言すれば、キャップは、閉鎖部と本体側部との間に画定される所期開封線なしで各係合手段に接続した閉鎖部を備える。
【００８５】
所期開封線は、必ずしもではなく好ましくは、閉鎖部と本体側部との間を弱化させることにより次の製造サイクルの過程で得られる。
【００８６】
この弱化は、適した工具を使用して、キャップの本体側部を断片的に切断し、恐らくはスルーカットを形成することにより得ることができる。このようにして、側壁の初期厚と略同じの、半径方向に測定される厚さを有する破断可能要素が得られる。
【００８７】
別法として、弱化は、側壁を押しつぶして断面積を低減させ、キャップを最初に開けるときの破断を促進することにより得ることができる。
【００８８】
また別法として、キャップは、側壁の円周に分散したリブを備えることができる。
【００８９】
この場合、弱化は、側壁の全厚を横断する、恐らくは完全に横断するが、リブはあまり切断しない切断部を形成することにより得ることができる。その結果、リブが、キャップを最初に開けるときに破断する破断可能要素を形成する。
【００９０】
図１５に示すように、係合手段１０は、ヒンジ３６および破断可能要素１６を形成するように配置された複数のリブ３８を形成する壁肥大部３８を含むことができる。リブ３８は、キャップ１から内側に突出する。
【００９１】
図示しない一実施形態では、リブはキャップ１の外側に突出することができる。
【００９２】
キャップ１の製造中、係合手段１０は、係合手段１０の円周全体を切断する切断部を形成する工具と相互作用させられる。切断は、例えば、係合手段１０を完全に横断するか、またはその厚さの大部分に延びるが、壁厚３７またはリブ３８を完全には横断しないことにより係合手段１０を弱化させる。
【００９３】
キャップ１を開けるとき、破断可能要素１６が破断するのに対して、より大きな断面積、ひいては破断に対してより大きな耐性が提供される肥大部３７は、破断しないが変形して、ヒンジ１６を持ち上げる。
【００９４】
本発明により、従来技術において提供される複雑な鋳型を使用する必要がないため、極めて簡易にヒンジが設けられたキャップを作ることが可能である。
【００９５】
鋳型は、実際には、キャップに壁肥大部３７を得られるような幾何学的形状に容易に設計することができる。
【００９６】
したがって、ヒンジが設けられたキャップは、壁肥大部が成形ステップで直接得られるため、コスト増大または製造サイクルの複雑化なしで得られる。
【００９７】
閉鎖部８は、閉鎖部８の肥大部３７に略対向するゾーンに配置される開封促進手段３９を備える。
【００９８】
リブ３８は、開封促進手段３９から肥大部３７に向かって増していく円周長さを有する。このようにして、変化する断面、ひいては破断への耐性を有する破断可能要素１６が得られる。
【００９９】
特に、徐々に円周長さが増していく第１のリブ３８ａ、第２のリブ３８ｂ、および第３のリブ３８ｃが設けられる。
【０１００】
キャップ１を最初に開けるとき、開封促進手段３９に作用するユーザは、円周長さが最も短い第１のリブ３８ａを容易に破断することができる。
【０１０１】
次に、キャップ１がすでに部分的に開かれると、より大きなてこ／トルクの効果を通して、第２のリブ３８ｂおよび第３のリブ３８ｃは第１のリブ３８ａよりも大きな破断耐性を有するが、ユーザは第２のリブ３８ｂおよび第３のリブ３８ｃを容易に破断することができる。
【０１０２】
このようにして、炭酸飲料が充填された容器の場合に発生するように、容器内部の圧力が容器外部の圧力と異なる場合であっても、キャップが容器に適用されているときには破断可能要素が大きな耐性を有してハーメチックシールを保証するキャップが得られる。
【０１０３】
同時に、破断可能要素は容易に破断して、良好な不可侵性を保証するとともに消費者による開封を容易にすることができる。
【０１０４】
図１６を参照して、壁肥大部３７および円周長さの異なる破断可能要素１６ａ、１６ｂ、および１６ｃが設けられたキャップを示す。
【０１０５】
この場合、破断可能要素１６は、適した様式の工具、特に断続刃が設けられた、または少なくとも破断可能要素１６、恐らくは肥大部３７においても不連続に設けられる工具を使用して係合手段１０に切断、例えばスルーカットすることにより得られる。
【０１０６】
図１７を参照して、壁肥大部３７が設けられないキャップを示す。
【０１０７】
この場合、ヒンジ前駆体２４および破断可能要素１６が、係合手段１０を切断、恐らくはスルーカットすることにより得られ、この切断は、破断可能要素１６とヒンジ前駆体２４を画定する必要がある係合手段１１のゾーンに影響を及ぼさない。また、この場合、適した様式の切断工具の使用も提供される。
【０１０８】
図１８を参照して、係合手段１０の外側に突出する肥大部３７が設けられたキャップ１を示す。この場合、破断可能要素３６は、肥大部３７と相互作用するような形状の工具を使用することにより得られる。
【０１０９】
図１９を参照して、断面積を小さくして所期開封線１５での破断を促すように係合手段１０を押しつぶすことにより作られた所期開封線１５が設けられたキャップ１を示す。
【０１１０】
押しつぶしは、開封促進手段３９に近いゾーンには厚さが薄く、開封促進手段３９から離れたゾーンほど厚さが増すような係合手段を得るように不規則であることができる。これにより、キャップを最初に開ける初期ステップでは破断に対して制限された耐性が提供される破断可能部を備えたキャップ１を得ることができる。
【０１１１】
換言すれば、不規則に押しつぶすことには、円周長さの異なる破断可能要素を設けることにより得られる効果と同様の効果がある。
【０１１２】
適した工具を使用して得られる押しつぶしに代えて、成形鋳型を、不規則な厚さを有する係合手段１０を成形するような形状にすることができる。
【０１１３】
図１０を参照して、本体側部１２が円錐切頭形壁としての形状である係合手段１０が設けられたキャップ１を示し、本体側部１２の直径は、閉鎖部８から保持手段１１に向かって低減する。
【０１１４】
図７および図１１〜図１４を参照すると、キャップ１は、特にキャップ１が最初に開けられた後、係合手段１０がネック２に対して実質的に移動しないように配置される位置決め手段４０を備える。
【０１１５】
位置決め手段４０は、最初に開けた後、キャップを再び容易に閉じられるようにする。
【０１１６】
位置決め手段４０がなければ、本体側部１２の移動により、関連する閉鎖部８をネック２に正しく係合して容器３を閉じることができなくなる。
【０１１７】
図７を参照すると、位置決め手段４０は、保持手段１１の端部に設けられ、ネック２から突出するさらなるカラー９に支持されて受けられるように配置される拘束要素５９を備える。この場合、カラー７およびさらなるカラー９はキャビティ６２を画定し、キャビティ６２内に保持手段１１の鉤形状部分が収容される。
【０１１８】
鉤形状部分はキャビティ６２内部に略収容されるため、破壊行為者による保持手段１１のカラー７からの係合解除、ひいてはキャップへの不正開封が略回避される。
【０１１９】
別法として、容器３にさらなるカラー９が設けられない場合、キャビティは、容器３の凸部により下を区切ることができる。
【０１２０】
図２７を参照して、キャビティ６２がカラー７、および突起７の上に延び、カラー７に対して略垂直に延びる接続壁６４により突起７に接続される拡大部６３により画定される容器３を示す。
【０１２１】
図１１を参照すると、位置決め手段４０は、キャップ１の内側に延び、保持手段１１と所期開封線１５との間に配置される肩手段４１を備える。
【０１２２】
保持手段１１および肩部４１は、突起２５を囲むような形状である。
【０１２３】
図１２を参照すると、位置決め手段４０は、ネック２と相互作用するように配置される当接手段４２を備える。
【０１２４】
当接手段４２は、本体側部１２い関連し、突起２５に支持されて受けられるリブ３８の部分４３を備える。
【０１２５】
図１３を参照すると、当接手段４２は、係合手段１０に設けられ、ネック２の端部ゾーン４４と相互作用する当接要素４５を備える。この場合、本体側部１２は、第１の壁４を囲む第１の環状体４６および第１の環状体４６よりも小さな直径を有する第２の環状体４７を備える。
【０１２６】
当接要素４５は、第１の環状体４６を第２の環状体４７に接続する傾斜壁の一部を備える。
【０１２７】
所期開封線１５は、第２の環状体４７と閉鎖部８との間に延びる。
【０１２８】
図１４を参照すると、当接手段４２は、係合手段１０の端部に設けられ、ネック２の上縁部４９と相互作用するように配置されるリング４８を備える。
【０１２９】
リング４８も、容器３の内容物の一部がネック３と本体側部１２との間に画定されるギャップに入り、場合によっては部分的に残らないようにする封止要素として働く。
【０１３０】
図２０を参照して、ねじ切り５５が設けられた本体側部１２が設けられた係合手段１０を備えたキャップ１を示し、ねじ切り５５は、容器３のネック２に得られるさらなるねじ切り５６と係合するように配置される。
【０１３１】
ネック２は、係合手段１０に設けられる保持手段１１と協働する突起手段５７およびカラー手段５８をさらに備える。
【０１３２】
キャップ１は閉鎖部８をさらに備え、閉鎖部８と本体側部１２との間に、所期開封線１５が設けられる。
【０１３３】
閉鎖部８に作用することにより、キャップを所期開封線１５に沿って開くことができ、それにより、容器３内に含まれる製品を小出しすることができる。このようにして、ねじ切りされたネックに提供される通常の容器に適用できる圧力キャップを得ることが可能である。
【０１３４】
キャップは、驚くべき簡単さで、恐らくは片手だけで開くことができる。
【０１３５】
閉鎖部８に、図７および図９を参照して開示したものと同様に、ネック２の内面２０または略平滑な外面２２にそれぞれ係合するように配置される環状アペンデージ１９またはさらなる環状アペンデージ２１を設けることができる。
【０１３６】
図２０に示すように、本体側部２と閉鎖部８との間に、最初に開けた後にキャップ１を再び閉じられるようにするヒンジ３６を配置することができる。
【０１３７】
キャップ１を開きやすいようにするために、ヒンジ３６が得られるさらなるゾーンと略対向する閉鎖部８のゾーンに得られる促進手段３９が設けられる。
【０１３８】
開封促進手段３９は、例えば、図２１に示すように閉鎖部８から突出するアペンデージ５１または図２３に示すように閉鎖部８に得られる凹部５２で得ることができる、ユーザが力を加える始動面５０を備える。
【０１３９】
別法として、始動面５０は、アペンデージ５１に画定されるか、凹部５２に画定されるかに関わらず、閉鎖部８の全周に周辺的に影響を及ぼすことができる。
【０１４０】
図２０に破線で示すように、環状アペンデージ１９は、開封促進手段３９からヒンジ３６に移動するにつれて変わる高さ、例えば、低減していく高さを有して、環状アペンデージを壁４の内側に挿入しやすくすることができる。
【０１４１】
キャップ１は、本体側部１２と係合手段１０に設けられるフック手段１１との間に配置されるさらなる所期開封線５３をさらに備える。
【０１４２】
所期開封線１５、さらなる所期開封線５３、およびヒンジ３６は、図５〜図１９を参照して開示された方法を使用して得ることができる。
【０１４３】
所期開封線１５（および恐らくヒンジ３６）が設けられたキャップおよび所期開封線１５を欠くキャップが、プラスチック成形により製造される同じ半製品から得ることができることに留意されたい。
【０１４４】
キャップの製造業者は、本発明によるキャップの製造に興味を持つ場合、上記半製品の側壁を弱化して所期開封線１５を得ることを選択することができ、または上記側壁を弱化させないことを選択することができ、この方法で、ねじ切りされたネックに適用可能な通常のキャップが得られる。
【０１４５】
したがって、末端の設備で特定の種類のキャップの製造から別の種類のキャップの製造に切り替えられるため、非常に多用途のキャップ製造方法が提供される。
【０１４６】
さらなる所期開封線５３は、ネック３から本体側部２を回して外すことにより実現される容器３の予想される開封を示す指示要素として働く。
【０１４７】
図２２を参照して、例えば、圧力によりキャップ１に関連可能であり、閉鎖部８を実質的に覆うフード７１を示す。フード７１は、キャップ１の一部を、ユーザの口に直接接触し得る汚染物から保護する。
【０１４８】
フード７１は、キャップ１を開く前に容易に取り外すことができる。
【０１４９】
また、図１４に指定するキャップ実施形態にフード７１を備えることもできる。
【０１５０】
ボトリング中、容器３は、製品が充填された後にキャップ１が閉じられ、キャップ１はキャップヘッドによりネック３に回して締められる。
【０１５１】
本発明によるキャップの開封モードは、キャップ１をネック２にさらに回して締め、これにより、ネック２の縁部４４を閉鎖部８と相互作用させて、所期開封線１５を画定する破断可能要素３６を破断し、ネック２から閉鎖部８を取り外すことからなり得る。
【０１５２】
図２８を参照して、キャップ１を最初に開けた後、例えば、上に開示した方法を通して実行される、ネック２から本体側部１２を部分的に外すキャップ外し促進手段６７を備えたキャップ１が示される。
【０１５３】
キャップ外し促進手段６７は、閉鎖部８が、ヒンジ３６で回転することによりネック２に正しく係合して、最初に開けた後に容器３を再び閉じられるようにするように本体側部１２を位置決めする位置決め手段として働く。
【０１５４】
キャップ外し促進手段６７は、ネック２に関連する始動手段７０と相互作用するような形状の弾性手段６８、例えば、本体側部１２のアペンデージ６９を備える。
【０１５５】
上に開示した開封モードを回避して、例えば、キャップヘッドによるキャップの適用中の破断要素３６の望ましくない破断を回避することが好ましい場合、過度締め付け阻止手段５４の使用が提供される。
【０１５６】
過度締め付け阻止手段５４は、ネック２に対して本体側部１２が移動しないようにして、最初に開けられた後にキャップ１を再び容易に閉じられるようにする位置決め手段としても働く。
【０１５７】
図２０に示すように、過度締め付け阻止手段５４は、所期開封線１５の破断可能要素３６を画定するリブ３８の部分４３を含む。
【０１５８】
部分４３はさらなるねじ山５６に支持されて受けられる。
【０１５９】
図２１に示すように、過度締め付け阻止手段５４は、本体側部１２の端部に設けられ、ネック２の上縁部４９で支持されて受けられるように配置されるリング４８を備える。
【０１６０】
リング４８は上縁部４９に当接するように配置されるため、本体側部１２は、容器３に収容される製品の部分が、本体側部１２とネック２との間に画定されるギャップに入らないようにする。
【０１６１】
図２４に示すように、過度締め付け阻止手段５４は、突起手段５７が肩部４１と保持手段１１との間で受けられるように突起手段５７と相互作用するように配置される肩手段４１を備える。
【０１６２】
図２５に示すように、過度締め付け阻止手段５４は、ねじ山５５と関連し、さらなるねじ山５６と相互作用して本体側部１２をネック２に回して締めることを拘束するように配置される拘束要素５９を備える。
【０１６３】
この場合、リング４８は、容器３の内容物の部分がネック３と本体側部１２との間に画定されるギャップに入り、場合によっては残留するのを回避する封止要素として働く。
【０１６４】
図２６に示すように、過度締め付け阻止手段５４は、保持手段１１の端部６１に設けられ、カラー手段５８に支持されて受けられるように配置されるさらなる拘束要素６０を備える。
【図面の簡単な説明】
【０１６５】
【図１】閉じた構成で示される、従来技術による圧力キャップの側面斜視図である。
【図２】開いた構成のキャップを示す、図１のような図である。
【図３】閉じた構成で示される、従来技術によるスクリューキャップの部分断面側面図である。
【図４】開いた構成のキャップを示す、図３のような図である。
【図５】容器ネックに関連する圧力キャップの斜視図である。
【図６】図５のキャップの縦平面に沿った断面の斜視図である。
【図７】一変形により作られた図５のようなキャップの縦平面に沿った概略断片断面である。
【図８】開いた構成のキャップを示す、図７のような断面である。
【図９】別の変形により作られた図７のような断面である。
【図１０】さらなる変形により作られたキャップを示す図７のような断面である。
【図１１】さらなる変形により作られ、別の容器ネックに関連するキャップを示す図７のような断面である。
【図１２】さらなる変形により作られたキャップを示す図１１のような断面である。
【図１３】さらなるバージョンにより作られたキャップを示す図７のような断面である。
【図１４】さらなる変形により作られ、さらなる容器ネックに関連するキャップを示す図７のような断面である。
【図１５】変化する円周長さを有する部分により得られる破断可能開封指示要素により画定される所期開封線を示すキャップの横断面である。
【図１６】変化する円周長さを有するキャップの壁部分により得られる破断可能開封指示要素を示す、図１５のような断面である。
【図１７】一定の円周長さを有するキャップの壁部分により得られる破断可能開封指示要素を示す、図１５のような断面である。
【図１８】ヒンジが設けられたキャップの横断面である。
【図１９】非均等な厚さを有する壁により画定される破断可能開封指示要素を示す、図１８のような断面である。
【図２０】容器のねじ切りされたネックに回して締められるキャップの概略断面である。
【図２１】ねじ切りされたネックにキャップを回して締めすぎることを回避するためのロック手段が設けられたキャップの一変形を示す、図２０のような断面である。
【図２２】保護キャップ手段が適用されたキャップを示す、図２０のような断面である。
【図２３】キャップに設けられる開封促進手段を示す、図２０のような断面である。
【図２４】ロック手段の一変形を示す、図２０のような断面である。
【図２５】ロック手段の別の変形を示す、図２０のような断面である。
【図２６】ロック手段のさらなる変形を示す、図２０のような断面である。
【図２７】さらなる変形により作られた容器の縦平面に沿った概略断面である。
【図２８】キャップ緩み阻止促進手段が設けられたキャップの概略部分側面図である。
【図１】
2008539135.tif 000003
【図２】
2008539135.tif 000004
【図３】
2008539135.tif 000005
【図４】
2008539135.tif 000006
【図５】
2008539135.tif 000007
【図６】
2008539135.tif 000008
【図７】
2008539135.tif 000009
【図８】
2008539135.tif 000010
【図９】
2008539135.tif 000011
【図１０】
2008539135.tif 000012
【図１１】
2008539135.tif 000013
【図１２】
2008539135.tif 000014
【図１３】
2008539135.tif 000015
【図１４】
2008539135.tif 000016
【図１５】
2008539135.tif 000017
【図１６】
2008539135.tif 000018
【図１７】
2008539135.tif 000019
【図１８】
2008539135.tif 000020
【図１９】
2008539135.tif 000021
【図２０】
2008539135.tif 000022
【図２１】
2008539135.tif 000023
【図２２】
2008539135.tif 000024
【図２３】
2008539135.tif 000025
【図２４】
2008539135.tif 000026
【図２５】
2008539135.tif 000027
【図２６】
2008539135.tif 000028
【図２７】
2008539135.tif 000029
【図２８】
2008539135.tif 000030
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
容器（３）の開口（３０）に関連可能な閉鎖部（８）と、前記容器（３）のネック（２）に関連可能な係合手段（１０）であって、前記容器の突起（７）に係合する保持手段（１１）が設けられた係合手段（１０）と、前記係合手段（１０）の本体側部（１２）と前記閉鎖部（８）との間で前記係合手段（１０）に配置される所期開封線（１５）であって、破断可能手段（１６）により画定される所期開封線（１５）とを備える圧力キャップであって、前記所期開封線（１５）および前記閉鎖部（８）は、前記閉鎖部（８）が前記本体側部（１２）から離れて移動したときに前記破断可能手段（１６）が前記所期開封線（１５）に沿って破断するように互いに関連して位置決めされ、前記閉鎖部（８）は、前記破断可能手段（１６）が、前記閉鎖部（８）が前記開口（３０）から取り外されるのと略同時に破断されるように、ユーザが力を加える始動面（５０）が設けられた開封促進手段（３９）を備えることを特徴とする圧力キャップ。
【請求項２】
前記閉鎖部（８）は、前記ネック（２）の内部（２０）に相互作用して干渉するように配置される閉鎖手段（１９）を含む、請求項１に記載のキャップ。
【請求項３】
前記閉鎖部（８）は、前記ネック（２）の外部（２２）と相互作用して干渉するように配置されるさらなる閉鎖手段（２１）を含む、請求項１または２に記載のキャップ。
【請求項４】
前記さらなる閉鎖手段（２１）の周縁には、前記外部（２２）から延びるアペンデージ手段（６６）に形状的に結合するように受けられる溝手段（６５）が設けられる、請求項３に記載のキャップ。
【請求項５】
前記閉鎖部（８）を前記本体側部（１２）に接続するヒンジ手段（３６）をさらに備える、請求項１乃至４のいずれか１項に記載のキャップ。
【請求項６】
前記ヒンジ手段は、前記所期開封線（１５）に沿って前記係合手段（１０）に得られる壁肥大部（３７）を含む、請求項５に記載のキャップ。
【請求項７】
前記破断可能手段（１６）は非均等な破断耐性を有する、請求項１乃至６のいずれか１項に記載のキャップ。
【請求項８】
前記破断可能手段は、変化する厚さを有する前記係合手段（１０）の壁手段を含む、請求項７に記載のキャップ。
【請求項９】
前記破断可能手段は、異なる円周長さを有する複数の破断可能要素（１６）を含む、請求項７に記載のキャップ。
【請求項１０】
前記破断可能手段（１６）は、ユーザが該キャップ（１）を開くために掴むことができる前記閉鎖部（８）のグリップゾーン（５０）から離れるにつれて大きくなる断面を有する、請求項７乃至９のいずれか１項に記載のキャップ。
【請求項１１】
前記ネック（２）に対して前記本体側部（１２）が実質的に移動しないようにするように配置される位置決め手段（４０）をさらに備える、請求項１乃至１０のいずれか１項に記載のキャップ。
【請求項１２】
前記位置決め手段（４０）は、前記容器（３）の残りの部分（９）に支持されて受けられるような形状の前記保持手段（１１）の端部に設けられる拘束要素（５９）を含む、請求項１１に記載のキャップ。
【請求項１３】
前記位置決め手段（４０）は、該キャップ（１）の内側に延び、前記保持手段（１１）と前記所期開封線（１５）との間に配置される肩手段（４１）を含み、該肩手段（４１）および前記保持手段（１１）は、前記ネック（２）から延びるさらなる突起手段（２５）を囲むような形状である、請求項１１に記載のキャップ。
【請求項１４】
前記位置決め手段（４０）は、前記破断可能手段（１６）を画定するリブ（３８）の部分（４３）を含み、該部分（４３）は、前記ネック（２）から延びるさらなる突起手段（２５）に支持されて受けられるような形状である、請求項１１に記載のキャップ。
【請求項１５】
前記位置決め手段（４０）は、前記係合手段（１０）に関連し、前記ネック（２）の端部ゾーン（４４）と相互作用するような形状の当接要素（４５）を含む、請求項１１に記載のキャップ。
【請求項１６】
前記位置決め手段（４０）は、前記係合手段（１０）に関連し、前記開口（３０）を区切る前記ネック（２）の縁部（４９）に支持されて受けられるような形状のさらなる当接要素（４８）を含む、請求項１１に記載のキャップ。
【請求項１７】
容器（３）のネック（２）に回して締めることが可能な本体側部（１０）と、前記容器（３）の開口（３０）に関連可能な閉鎖部（８）とを備えるスクリューキャップであって、前記本体側部（１０）と前記閉鎖部（８）との略境界面に配置される所期開封線（１５）をさらに備えることを特徴とするスクリューキャップ。
【請求項１８】
前記本体側部（１０）には、前記ネック（２）と係合するように配置される保持手段（１１）が関連付けられる、請求項１７に記載のキャップ。
【請求項１９】
前記本体側部（１０）と前記保持手段（１１）との間に配置されるさらなる所期開封線（５３）をさらに備える、請求項１８に記載のキャップ。
【請求項２０】
前記所期開封線（１５）および前記閉鎖部（８）は、前記閉鎖部（８）が前記本体側部（１０）から外されるように促されたときに、前記所期開封線（１５）を画定する破断可能手段（１６）が前記所期開封線（１５）に沿って破断するように互いに関連して位置決めされる、請求項１７乃至１９のいずれか１項に記載のキャップ。
【請求項２１】
前記閉鎖部（８）は、前記ネック（２）の内部（２０）に相互作用して干渉するように配置される閉鎖手段（１９）を含む、請求項１７乃至２０のいずれか１項に記載のキャップ。
【請求項２２】
前記閉鎖部（８）は、前記ネック（２）の外部（２２）と相互作用して干渉するように配置されるさらなる閉鎖手段（２１）を含む、請求項１７乃至２１のいずれか１項に記載のキャップ。
【請求項２３】
前記さらなる閉鎖手段（２１）の周縁には、前記外部（２２）から延びるアペンデージ手段（６６）に形状的に結合するように受けられる溝手段（６５）が設けられる、請求項２２に記載のキャップ。
【請求項２４】
前記閉鎖部（８）を前記本体側部（１２）に接続するヒンジ手段（３６）をさらに備える、請求項１７乃至２３のいずれか１項に記載のキャップ。
【請求項２５】
前記ヒンジ手段（３６）は、前記所期開封線（１５）に沿って前記本体側部（１０）に得られる壁肥大部（３７）を含む、請求項２４に記載のキャップ。
【請求項２６】
前記破断可能手段（１６）は非均等な破断耐性を有する、請求項１７乃至２２のいずれか１項に記載のキャップ。
【請求項２７】
前記破断可能手段は、変化する厚さを有する前記本体側部手段（１０）の壁手段を含む、請求項２６に記載のキャップ。
【請求項２８】
前記破断可能手段は、異なる円周長さを有する複数の破断可能要素（１６）を含む、請求項２６に記載のキャップ。
【請求項２９】
前記破断可能手段（１６）は、ユーザが該キャップ（１）を開くために掴むことができる前記閉鎖部（８）のグリップゾーン（５０）から離れるにつれて大きくなる断面を有する、請求項２６乃至２８のいずれか１項に記載のキャップ。
【請求項３０】
前記本体側部（１０）が前記ネック（２）に過度に締め付けられないないようにするために配置される過度締め付け阻止手段（５４）をさらに備える、請求項１７乃至２９のいずれか１項に記載のキャップ。
【請求項３１】
前記過度締め付け阻止手段（５４）は、前記容器（３）の残りの部分（５８）に支持さされて受けられるような形状の拘束要素（６０）を含む、請求項３０に記載のキャップ。
【請求項３２】
前記過度締め付け阻止手段（５４）は、該キャップ（１）の内側に延びる肩手段（４１）を含む、請求項３０に記載のキャップ。
【請求項３３】
前記肩手段（４１）は、前記保持手段（１１）と前記所期開封線（１５）との間に配置され、前記フック手段（４１）および前記保持手段（１１）は、前記ネック（２）から延びるさらなる突起手段（２５）をかっ込むような形状である、請求項１８もしくは１９に従属する請求項３０または請求項１８もしくは１９に従属する請求項２０乃至２９のいずれか１項に記載のキャップ。
【請求項３４】
前記過度締め付け阻止手段（５４）は、前記所期開封線（１５）を画定するリブ（３８）の部分（４３）を含み、該部分（４３）は、前記ネック（２）に設けられるねじ山手段（５６）に支持されて受けられるような形状である、請求項３０に記載のキャップ。
【請求項３５】
前記過度締め付け阻止手段（５４）は、前記本体側部（１０）に関連し、前記ネック（２）の端部ゾーン（４４）と相互作用するような形状の当接要素（４５）を含む、請求項３０に記載のキャップ。
【請求項３６】
前記過度締め付け阻止手段（５４）は、前記本体側部（１０）に関連し、前記開口（３０）を区切る前記ネック（２）の縁部（４９）に支持されて受けられるような形状のさらなる当接要素（４８）を含む、請求項３０に記載のキャップ。
【請求項３７】
前記過度締め付け阻止手段（５４）は、前記本体側部（１０）の内側煮えられるねじ山（５５）に関連し、前記ネック（２）に得られるさらなるねじ山（５６）と相互作用するように配置されるさらなる拘束手段（５９）を含む、請求項３０に記載のキャップ。
【請求項３８】
該キャップ（１）が最初に開けられた後、前記ネック（２）から前記本体側部（６７）を部分的に外すように配置されるキャップ外し促進手段（６７）をさらに備える、請求項１７乃至３７のいずれか１項に記載のキャップ。
【請求項３９】
前記キャップ外し促進手段（６７）は、前記ネック（２）に関連する始動手段（７０）と相互作用するような形状の弾性手段（６８）を含む、請求項３８に記載のキャップ。
【請求項４０】
前記弾性手段（６８）は、前記本体側部（１０）から延びるアペンデージ（６９）を含む、請求項３９に記載のキャップ。
【請求項４１】
スクリューキャップ（１）を開く方法であって、前記キャップは、容器（３）のネック（２）に回して締めることが可能な本体側部（１０）と、前記容器（３）の開口（３０）に関連可能な閉鎖部（８）と、前記本体側部（１０）と前記閉鎖部（８）との略境界面に配置される破断可能手段（１６）により画定される所期開封線（１５）とを備え、該方法は、前記ネック（２）の縁部が前記閉鎖部（８）と相互作用して、前記所期開封線（１５）に沿って前記破断可能要素（１６）を破断するように前記本体側部（１０）を前記ネック（２）に回して締めることを含む方法。
【請求項４２】
容器（３）のネック（２）に関連可能な本体側部（１０）と、前記容器（３）の開口（３０）に関連可能な閉鎖部（８）と、前記本体側部（１０）と前記閉鎖部（８）との間に配置される所期開封線（１５）とを備えるキャップであって、前記所期開封線（１５）上に壁肥大部（３７）をさらに備えて、前記本体側部（１０）と前記閉鎖部（８）とを接続するヒンジ手段（３６）を形成することを特徴とするキャップ。
【請求項４３】
前記破断可能手段（１６）は非均等な破断耐性を有する、請求項４２に記載のキャップ。
【請求項４４】
前記破断可能手段は、変化する厚さを有する前記本体側部（１０）の壁手段を含む、請求項４３に記載のキャップ。
【請求項４５】
前記破断可能手段は、異なる円周長さを有する複数の破断可能要素（１６）を含む、請求項４３に記載のキャップ。
【請求項４６】
前記破断可能手段（１６）は、ユーザが該キャップ（１）を開くために掴むことができる前記閉鎖部（８）のグリップゾーン（５０）から離れるにつれて大きくなる断面を有する、請求項４３乃至４５のいずれか１項に記載のキャップ。
【請求項４７】
容器（３）のネック（２）に関連可能な本体側部（１０）と、前記容器（３）の開口（３０）に関連可能な閉鎖部（８）と、破断可能要素（１６）により画定され、前記本体側部（１０）と前記閉鎖部（８）との間に配置される所期開封線（１５）とを備えるキャップであって、前記破断可能手段（１６）は非均等な破断耐性を有することを特徴とするキャップ。
【請求項４８】
前記破断可能手段は、変化する厚さを有する前記キャップ手段（１）の壁手段を含む、請求項４７に記載のキャップ。
【請求項４９】
前記破断可能手段は、異なる円周長さを有する複数の破断可能要素（１６）を含む、請求項４７に記載のキャップ。
【請求項５０】
前記破断可能手段（１６）は、ユーザが該キャップ（１）を開くために掴むことができる前記閉鎖部（８）のグリップゾーン（５０）から離れるにつれて大きくなる断面を有する、請求項４７乃至４９のいずれか１項に記載のキャップ。
【請求項５１】
前記所期開封線（１５）上に壁肥大部（３７）をさらに備えて、前記本体側部（１０）と前記閉鎖部（８）とを接続するヒンジ手段（３６）を形成する、請求項４７乃至５０のいずれか１項に記載のキャップ。
【請求項５２】
ヒンジ（３６）が設けられたキャップ（１）を製造する方法であって、前記キャップ（１）の本体側部（１０）を形成すること、前記本体側部（１０）を弱化させることであって、それにより所期開封線（１５）を得る、前記弱化させることは、前記所期開封線（１５）に沿って、前記本体側部（１０）の残りの部分の弱化の程度が低いゾーンを前記本体側部（１０）に作ることを含み、前記弱化の程度が低いゾーンはヒンジ前駆体を画定することを特徴とする方法。
【請求項５３】
前記弱化させることは、前記本体側部（１０）の周縁ゾーンに完全に影響する切開部を形成することを含む、請求項５２に記載の方法。
【請求項５４】
前記弱化させることの前に、前記本体側部（１０）に壁肥大部（３７）を得ることが提供され、前記壁肥大部（３７）が前記ヒンジ前駆体を画定する請求項５３に記載の方法。
【請求項５５】
前記弱化させることの前に、前記本体側部（１０）にリブ手段（３８）を得ることがさらに提供され、前記リブ手段（３８）は、前記所期開封線（１５）の破断可能要素（１６）を画定する、請求項５３または５４に記載の方法。
【請求項５６】
前記弱化させることは、前記所期開封線（１５）に沿って、破断可能要素（１６）を画定する切開部のない部分が得られるように、断続刃が設けられた切断工具を使用して前記本体側部に切開部を形成することを含む、請求項５３または５４に記載の方法。
【請求項５７】
前記弱化させることは、前記弱化の程度が低い部分には影響しないが、前記残りの部分に影響する切開部を形成することを含む、請求項５２に記載の方法。
【請求項５８】
前記形成することの前に、前記本体側部（１０）に壁肥大部（３７）を得ることが提供され、前記壁肥大部（３７）が前記ヒンジ前駆体を画定する請求項５３に記載の方法。
【請求項５９】
前記形成することは、前記所期開封線（１５）に沿って、破断可能要素（１６）を画定する切開部のない部分が得られるように、断続刃が設けられた切断工具を使用して前記本体側部に切開部を形成することを含む、請求項５７または５８に記載の方法。
【請求項６０】
前記形成することの前に、前記本体側部（１０）にリブ手段（３８）を得ることが提供され、前記リブ手段（３８）は、前記所期開封線（１５）の破断可能要素（１６）を画定する、請求項５８または５９に記載の方法。
【請求項６１】
小出し端部（４）が設けられたネック（２）を備え、前記小出し端部（４）は、前記ネックの残りの部分（５）の横断面よりも大きな横断面を有する容器であって、前記小出し端部（５）が略均等な厚さを有する壁手段を含むことを特徴とする容器。
【請求項６２】
前記突起と協働して、キャップ（１）の保持手段（１１）が受けられる受座手段（６２）を画定するさらなる突起（９）をさらに備え、前記保持手段（１１）は前記突起（７）に係合するような形状である、請求項６１に記載の容器。
【請求項６３】
前記ネック（２）の縁部（４９）に得られ、キャップ（１）の閉鎖部の溝手段（６５）で受けられるように配置されるアペンデージ手段（６６）をさらに備える、請求項６１または６２に記載の容器。
【請求項６４】
小出し端部（４）が設けられたネック（２）を備え、前記小出し端部（４）は、前記ネック（５）の残りの部分の横断面よりも大きな横断面を有し、前記小出し端部は該容器内に、キャップ（１）の保持手段（１１）が係合可能な突起（７）を画定する、容器であって、前記突起と協働して、前記保持手段（１１）を受けることができる受座手段（６２）を画定するさらなる突起（９）をさらに備えることを特徴とする容器。
【請求項６５】
前記小出し端部（５）は略均等な厚さを有する壁手段を含む、請求項６４に記載の容器。
【請求項６６】
前記ネック（２）の縁部（４９）に得られ、キャップ（１）の閉鎖部の溝手段（６５）で受けられるように配置されるアペンデージ手段（６６）をさらに備える、請求項６４または６５に記載の容器。
【請求項６７】
保持手段（１１）を備えるキャップ（１）と、小出し端部（４）が設けられたネックであって、前記小出し端部（４）は前記ネックの残りの部分（５）の横断面よりも大きな横断面を有し、容器内に、前記保持手段（１１）が係合可能な突起（７）を画定する、ネック、および前記突起と協働して、前記保持手段（１１）を受けることができる受座手段（６２）を画定するさらなる突起（９）を備える容器との組み合わせ。
【請求項６８】
壁手段により画定される小出し端部（４）が設けられたネック（２）を備える容器であって、前記壁手段の中間部から延出する突起手段（２５）をさらに備えることを特徴とする容器。
【請求項６９】
前記小出し端部（４）は、ネックの残りの部分（５）の横断面よりも大きな横断面を有する、請求項６８に記載の容器。
【請求項７０】
前記ネック（２）の縁部（４４）に得られ、キャップ（１）の閉鎖部の溝手段（６５）で受けられるように配置されるアペンデージ手段（６６）をさらに備える、請求項６８または６９に記載の容器。
【請求項７１】
開口（３０）が設けられたネック（２）と、該ネック（２）から突出する突起（２９）とを備え、前記ネックは、前記突起（２９）と前記開口（３０）との間に延びる壁手段（４）を含む容器であって、前記壁手段（４）が略平滑な外面（３４）を含むことを特徴とする容器。
【請求項７２】
前記ネック（２）の縁部（４４）に得られ、キャップ（１）の閉鎖部の溝手段（６５）で受けられるように配置されるアペンデージ手段（６６）をさらに備える、請求項７１に記載の容器。
【請求項７３】
容器（３）のネック（２）に回して締めることが可能な本体側部（１０）と、前記容器（３）の開口（３０）に関連可能な閉鎖部（８）とを備えるスクリューキャップであって、該キャップ（１）が最初に開けられた後に前記ネック（２）から前記本体側部（１０）を部分的に外すように配置されるキャップ外し促進手段（６７）をさらに備えることを特徴とするスクリューキャップ。
【請求項７４】
前記キャップ外し促進手段（６７）は、前記ネック（２）に関連する始動手段（７０）と相互作用するような形状の弾性手段（６８）を含む、請求項７３に記載のキャップ。
【請求項７５】
前記弾性手段（６８）は、前記本体側部（１０）から延びるアペンデージ（６９）を含む、請求項７４に記載のキャップ。
【国際調査報告】
2008539135.tif 000031
2008539135.tif 000032
2008539135.tif 000033
2008539135.tif 000034